【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
複数の物品を収容したケースを複数層に段積みしたパレット単位で保管するとともに，該ケースをデパレタイズ装置を用いてパレットの層単位で取出し可能とするパレット単位保管区分と、
複数の物品を収容したケースをケース単位で保管するとともに，該ケースをケース単位で取出し可能な保管区分として前記パレット単位保管区分とは別に予め設けられているケース単位保管区分とを有し、
前記パレット単位保管区分と前記ケース単位保管区分から，それらに保管されているケースをバッチオーダーの出荷総数Ｏにして出荷するピッキング方法において、
前記ケース単位保管区分の在庫数Ｐの方が前記バッチオーダーの出荷総数Ｏより少ないときには，前記バッチオーダーの出荷総数Ｏを作り出すために、制御コンピュータは前記デパレタイズ装置を用いてパレット単位保管区分から取出されるパレットの層数を、前記バッチオーダーの出荷総数Ｏから前記ケース単位保管区分の在庫数Ｐを除いた不足数（Ｏ−Ｐ）をパレットの層単位数に切上げ算出することにより算出した層数Ｆ＝（Ｏ−Ｐ）／Ｃ（但しＣはパレットの１層分のケース数）とし、
前記Ｆ層のＦＣ個のケースのうち当該バッチオーダーの出荷総数Ｏを取り出すのに用いられることなく前記ケース単位保管区分で保管されるケース数をＳ＝Ｐ＋ＦＣ−Ｏとし，前記バッチオーダーの出荷総数Ｏを作り出すために出荷されるケース数は不足数（Ｏ−Ｐ）とし、
前記バッチオーダーの出荷総数Ｏを作り出すために前記ケース単位保管区分の在庫数Ｐのケースは全数を出荷するよう制御することを特徴とするピッキング方法。
【請求項２】
前記パレット単位保管区分は、デパレタイズ装置を用いてパレットの層単位で取り出し、取り出したＦＣ個のケースの全数を仕分け搬送ラインを経由して前記ケース単位保管区分を含む各棚に割り当てるように搬送制御することを特徴とする請求項１記載のピッキング方法。
【請求項３】
前記ケース単位保管区分は、移動可能なスタッカクレーンとその両側に配置された多段多列をなす複数の保管棚によって構成されたことを特徴とする請求項１または２記載のピッキング方法。
【請求項４】
前記ケース単位保管区分は仕分け搬送ラインを経由して受け入れ多段多列をなす複数の流動棚に保管可能に構成されたことを特徴とする請求項１または２記載のピッキング方法。
【請求項５】
複数の物品を収容したケースを複数層に段積みしたパレット単位で保管するとともに、該ケースをデパレタイズ装置を用いてパレットの層単位で取出し可能とするパレット単位保管区分と、
複数の物品を収容したケースをケース単位で保管するとともに、該ケースをケース単位で取出し可能な保管区分として前記パレット単位保管区分とは別に予め設けられているケース単位保管区分と、
制御コンピュータとを有し、
前記制御コンピュータは
ケース単位保管区分の在庫数Ｐの方がバッチオーダーの出荷総数Ｏより少ないときには、前記バッチオーダーの出荷総数Ｏを作り出すために、前記デパレタイズ装置を用いてパレット単位保管区分から取出されるパレットの層数を、前記バッチオーダーの出荷総数Ｏから前記ケース単位保管区分の在庫数Ｐを除いた不足数（Ｏ−Ｐ）不足数（Ｏ−Ｐ）をパレットの層単位数に切上げ算出することにより算出した層数Ｆ＝（Ｏ−Ｐ）／Ｃ（但しＣはパレットの１層分のケース数）パレットの層単位数に切上げ算出し、切上げ算出した層数Ｆ＝（Ｏ−Ｐ）／Ｃ（但しＣはパレットの１層分のケース数）とし、
前記Ｆ層のＦＣ個のケースのうち当該バッチオーダーの出荷総数Ｏを取り出すのに用いられることなく前記ケース単位保管区分で保管されるケース数をＳ＝Ｐ＋ＦＣ−Ｏとし，
前記バッチオーダーの出荷総数Ｏを作り出すために出荷されるケース数は不足数（Ｏ−Ｐ）とし、
前記バッチオーダーの出荷総数Ｏを作り出すために前記ケース単位保管区分の在庫数Ｐのケースは全数を出荷するよう制御することを特徴とするピッキング装置。
【請求項６】
前記パレット単位保管区分は、デパレタイズ装置を用いてパレットの層単位で取り出し、取り出したＦＣ個のケースの全数を仕分け搬送ラインを経由して前記ケース単位保管区分を含む各棚に割り当てるように搬送制御することを特徴とする請求項５記載のピッキング装置。
【手続補正２】
【補正対象書類名】明細書
【補正対象項目名】００１０
【補正方法】変更
【補正の内容】
【００１０】
請求項１の発明は、前記パレット単位保管区分と前記ケース単位保管区分から，それらに保管されているケースをバッチオーダーの出荷総数Ｏにして出荷するピッキング方法において，前記ケース単位保管区分の在庫数Ｐの方が前記バッチオーダーの出荷総数Ｏより少ないときには，前記バッチオーダーの出荷総数Ｏを作り出すために、制御コンピュータは前記デパレタイズ装置を用いてパレット単位保管区分から取出されるパレットの層数を、前記バッチオーダーの出荷総数Ｏから前記ケース単位保管区分の在庫数Ｐを除いた不足数（Ｏ−Ｐ）をパレットの層単位数に切上げ算出することにより算出した層数Ｆ＝（Ｏ−Ｐ）／Ｃ（但しＣはパレットの１層分のケース数）とし，前記Ｆ層のＦＣ個のケースのうち当該バッチオーダーの出荷総数Ｏを取り出すのに用いられることなく前記ケース単位保管区分で保管されるケース数をＳ＝Ｐ＋ＦＣ−Ｏとし，前記バッチオーダーの出荷総数Ｏを作り出すために出荷されるケース数は不足数（Ｏ−Ｐ）とし、前記バッチオーダーの出荷総数Ｏを作り出すために前記ケース単位保管区分の在庫数Ｐのケースは全数を出荷するよう制御することを特徴とするピッキング方法である。
【手続補正３】
【補正対象書類名】明細書
【補正対象項目名】００１１
【補正方法】変更
【補正の内容】
【００１１】
請求項２の発明は、前記パレット単位保管区分は、デパレタイズ装置を用いてパレットの層単位で取り出し、取り出したＦＣ個のケースの全数を仕分け搬送ラインを経由して前記ケース単位保管区分を含む各棚に割り当てるように搬送制御することを特徴とする請求項１記載のピッキング方法である。
【手続補正４】
【補正対象書類名】明細書
【補正対象項目名】００１２
【補正方法】変更
【補正の内容】
【００１２】
請求項３の発明は、前記ケース単位保管区分は、移動可能なスタッカクレーンとその両側に配置された多段多列をなす複数の保管棚によって構成されたことを特徴とする請求項１または２記載のピッキング方法である。
【手続補正５】
【補正対象書類名】明細書
【補正対象項目名】００１３
【補正方法】変更
【補正の内容】
【００１３】
請求項４の発明は、複数の物品を収容したケースを複数層に段積みしたパレット単位で保管するとともに、該ケースをデパレタイズ装置を用いてパレットの層単位で取出し可能とするパレット単位保管区分と、複数の物品を収容したケースをケース単位で保管するとともに、該ケースをケース単位で取出し可能な保管区分として前記パレット単位保管区分とは別に予め設けられているケース単位保管区分と、制御コンピュータとを有し、前記制御コンピュータはケース単位保管区分の在庫数Ｐの方がバッチオーダーの出荷総数Ｏより少ないときには、前記バッチオーダーの出荷総数Ｏを作り出すために、前記デパレタイズ装置を用いてパレット単位保管区分から取出されるパレットの層数を、前記バッチオーダーの出荷総数Ｏから前記ケース単位保管区分の在庫数Ｐを除いた不足数（Ｏ−Ｐ）不足数（Ｏ−Ｐ）をパレットの層単位数に切上げ算出することにより算出した層数Ｆ＝（Ｏ−Ｐ）／Ｃ（但しＣはパレットの１層分のケース数）パレットの層単位数に切上げ算出し、切上げ算出した層数Ｆ＝（Ｏ−Ｐ）／Ｃ（但しＣはパレットの１層分のケース数）とし、前記Ｆ層のＦＣ個のケースのうち当該バッチオーダーの出荷総数Ｏを取り出すのに用いられることなく前記ケース単位保管区分で保管されるケース数をＳ＝Ｐ＋ＦＣ−Ｏとし，前記バッチオーダーの出荷総数Ｏを作り出すために出荷されるケース数は不足数（Ｏ−Ｐ）とし、前記バッチオーダーの出荷総数Ｏを作り出すために前記ケース単位保管区分の在庫数Ｐのケースは全数を出荷するよう制御することを特徴とするピッキング装置である。
【手続補正６】
【補正対象書類名】明細書
【補正対象項目名】００１４
【補正方法】変更
【補正の内容】
【００１４】
請求項５の発明は、複数の物品を収容したケースを複数層に段積みしたパレット単位で保管するとともに、該ケースをデパレタイズ装置を用いてパレットの層単位で取出し可能とするパレット単位保管区分と、複数の物品を収容したケースをケース単位で保管するとともに、該ケースをケース単位で取出し可能な保管区分として前記パレット単位保管区分とは別に予め設けられているケース単位保管区分と、制御コンピュータとを有し、前記制御コンピュータはケース単位保管区分の在庫数Ｐの方がバッチオーダーの出荷総数Ｏより少ないときには、前記バッチオーダーの出荷総数Ｏを作り出すために、前記デパレタイズ装置を用いてパレット単位保管区分から取出されるパレットの層数を、前記バッチオーダーの出荷総数Ｏから前記ケース単位保管区分の在庫数Ｐを除いた不足数（Ｏ−Ｐ）不足数（Ｏ−Ｐ）をパレットの層単位数に切上げ算出することにより算出した層数Ｆ＝（Ｏ−Ｐ）／Ｃ（但しＣはパレットの１層分のケース数）パレットの層単位数に切上げ算出し、切上げ算出した層数Ｆ＝（Ｏ−Ｐ）／Ｃ（但しＣはパレットの１層分のケース数）とし、前記Ｆ層のＦＣ個のケースのうち当該バッチオーダーの出荷総数Ｏを取り出すのに用いられることなく前記ケース単位保管区分で保管されるケース数をＳ＝Ｐ＋ＦＣ−Ｏとし，前記バッチオーダーの出荷総数Ｏを作り出すために出荷されるケース数は不足数（Ｏ−Ｐ）とし、前記バッチオーダーの出荷総数Ｏを作り出すために前記ケース単位保管区分の在庫数Ｐのケースは全数を出荷するよう制御することを特徴とするピッキング装置である。
【手続補正７】
【補正対象書類名】明細書
【補正対象項目名】００１５
【補正方法】変更
【補正の内容】
【００１５】
請求項６の発明は、前記パレット単位保管区分は、デパレタイズ装置を用いてパレットの層単位で取り出し、取り出したＦＣ個のケースの全数を仕分け搬送ラインを経由して前記ケース単位保管区分を含む各棚に割り当てるように搬送制御することを特徴とする請求項５記載のピッキング装置である。